【手続補正書】
【提出日】平成20年6月24日(2008.6.24)
【手続補正１】
【補正対象書類名】特許請求の範囲
【補正対象項目名】全文
【補正方法】変更
【補正の内容】
【特許請求の範囲】
【請求項１】
ウイルス性疾患の治療を要する人間以外の哺乳類においてウイルス性疾患を治療する方法であって、人間以外の哺乳類のウイルス感染した組織の細胞を、加熱装置により前記組織に対する平熱時の生理学的体温の加熱温度よりも少なくとも２℃だけ高い加熱温度に加熱するステップを備えた方法。
【請求項２】
前記加熱温度は、前記組織に対する前記平熱時の生理学的体温の加熱温度を２℃〜１３℃だけ上回る範囲にある、請求項１に記載の方法。
【請求項３】
前記人間以外の哺乳類のウイルス感染した組織は、肺の上皮細胞、鼻通路、気管、細気管支、肺胞、並びに足、手、皮膚、陰茎及び陰嚢、陰門、子宮、子宮頸部、陰核、外陰（大陰唇及び／又は小陰唇）、会陰及び周囲の感染した皮膚のような性器及び性器の部分のような身体部分から選択される、請求項１又は請求項２に記載の方法。
【請求項４】
人間以外の被検体哺乳類の組織のウイルス感染した細胞でのウイルスの複製をインビボで阻害する方法であって、前記人間以外の哺乳類のウイルス感染した組織を、該組織の平熱時の生理学的温度を少なくとも２℃〜９℃だけ上回る温度、好ましくは少なくとも２℃〜約５℃だけ上回る温度に、少なくとも１時間、好ましくは１時間〜４時間、さらに好ましくは１時間〜２時間、最も好ましくは１時間〜１．５時間にわたり加熱するステップを備えた方法。
【請求項５】
人間以外の被検体哺乳類のウイルス感染した組織でのインビボでのウイルスの複製を阻害する方法であって、前記組織を、該組織の平熱時の生理学的温度を少なくとも６℃だけ上回るが９℃を超えては上回らない温度に、前記組織の細胞死が誘発されないように４５分間まで、好ましくは約１０分間〜約４５分間にわたり加熱するステップを備えた方法。
【請求項６】
前記細胞への前記熱は、相対湿度が少なくとも７０％にあり場合によってＣＯ2を含む加熱されて加湿された気体の形態、又は加熱された要素の形態で供給される、請求項１から請求項５のいずれか一項に記載の方法。
【請求項７】
被検体の直腸管、女性生殖管、子宮頸部又は膣の組織でのウイルスの複製を阻害する装置であって、
外壁（２２）を含んでおり、前記被検体の直腸管、女性生殖管、子宮頸部又は膣に挿入される挿入要素（２１）と、
利用時には前記挿入要素（２１）を包囲している前記組織を加熱する第２の加熱装置（２３）と、
前記第２の加熱装置（２３）に接続されており、利用時には前記組織の少なくとも一部が該組織の平熱時の生理学的温度を少なくとも２℃〜１３℃までだけ上回る温度に加熱されるように、前記周囲組織の温度を制御する第２の温度制御器（２４）と、
を備えた装置。
【請求項８】
前記第２の加熱装置（２３）は、液体を加熱する液体加熱手段（２６）と、前記液体を前記液体加熱手段（２６）と前記挿入要素（２１）との間で案内する液体案内手段（２８）とを含んでおり、前記挿入要素（２１）は、前記液体が前記外壁（２２）を加熱するようにポンプ手段（２７）によりポンプ供給されるときに通る送管（２５）を含んでいる、請求項７に記載の装置。
【請求項９】
前記外壁（２２）は、好ましくは弾性である膨張性及び／又は可撓性の材料を含んでいる、請求項７又は請求項８に記載の装置。
【請求項１０】
前記外壁（２２）は突起を含んでいる、請求項７から請求項９のいずれか一項に記載の装置。
【請求項１１】
前記挿入要素（２１）を振動させる振動装置を含んでいる、請求項７から請求項１０のいずれか一項に記載の装置。
【請求項１２】
前記第２の温度制御器（２４）は、前記組織を加熱する時間を制御する第２の時間制御器（２９）を含んでいる、請求項７から請求項１１のいずれか一項に記載の装置。
【請求項１３】
被検体の外肢の組織でのウイルスの複製を阻害する装置であって、
内壁（４２）を含んでおり、利用時には前記被検体の前記外肢を少なくとも部分的に包囲する前記被検体の前記外肢を収容する収容要素（４１）と、
前記収容要素（４１）により包囲される前記組織を加熱する第３の加熱装置（４３）と、
前記第３の加熱装置（４３）に接続されており、利用時には前記組織の少なくとも一部が該組織の平熱時の生理学的温度を少なくとも２℃〜１３℃までだけ上回る温度に加熱されるように、被検体の前記外肢の前記組織の温度を制御する第３の温度制御器（４４）と、
を備えた装置。
【請求項１４】
前記第３の加熱装置（４３）は、液体を加熱する第２の液体加熱手段（４６）と、前記液体を前記第３の加熱装置（４３）と収容要素（４１）との間で案内する第２の液体案内手段（４８）とを含んでおり、前記収容要素は、利用時には前記内壁（４２）の加熱のために前記液体が第２のポンプ手段（４７）によりポンプ供給されるときに通る第２の送管（４５）を含んでいる、請求項１３に記載の装置。
【請求項１５】
前記内壁（４２）は、好ましくは弾性である膨張性及び／又は可撓性の材料を含んでいる、請求項１３又は請求項１４に記載の装置。
【請求項１６】
前記内壁（４２）は第２の突起を含んでいる、請求項１３から請求項１５のいずれか一項に記載の装置。
【請求項１７】
前記収容要素（４１）を振動させる第２の振動装置を含んでいる、請求項１３から請求項１６のいずれか一項に記載の装置。
【請求項１８】
前記第３の温度制御器（４４）は、前記組織を加熱する時間を制御する第３の時間制御器（４９）を含んでいる、請求項１３から請求項１７のいずれか一項に記載の装置。
【請求項１９】
被検体の呼吸器管の組織でのウイルスの複製を阻害する装置であって、
当該装置に気体を受け入れる気体入口（２）と、
前記気体を加熱する加熱装置（３）と、
前記気体を加湿する加湿装置（４）と、
前記気体を、前記気体入口（２）から前記加熱装置（３）及び前記加湿装置（４）へ、次いで前記加熱されて加湿された気体を放出する気体出口（１１）まで案内する気体案内手段（５）と、
前記被検体の換気量を高めるために、前記気体が前記気体出口（１１）から放出される前に前記気体にＣＯ2を導入するＣＯ2添加手段（８）を含む換気量増進装置（６）と、
前記加熱装置（３）に接続されており、利用時には前記組織の少なくとも一部が該組織の平熱時の生理学的温度を少なくとも２℃だけ上回り１３℃を超えては上回らない温度に加熱されるように、前記被検体の前記呼吸器管の前記組織の温度を制御する温度制御器（９）と、
を備えた装置。
【請求項２０】
被検体の呼吸器管の組織のウイルスの複製を阻害する装置であって、
当該装置に気体を受け入れる気体入口（２）と、
前記気体を加熱する加熱装置（３）と、
前記気体を加湿する加湿装置（４）と、
前記気体を、前記気体入口（２）から前記加熱装置（３）及び前記加湿装置（４）へ、次いで前記加熱されて加湿された気体を放出する気体出口（１１）まで案内する気体案内手段（５）と、
前記被検体により用いられる運動設備を含む換気量増進装置（６）と、
前記加熱装置（３）に接続されており、利用時には前記組織の少なくとも一部が該組織の平熱時の生理学的温度を少なくとも２℃だけ上回り１３℃を超えては上回らない温度に加熱されるように、前記被検体の前記呼吸器管の前記組織の温度を制御する温度制御器（９）と、
を備えた装置。
【請求項２１】
前記気体が前記気体出口（１１）から放出される前に前記気体に酸素を導入する酸素添加装置をさらに含んでいる、請求項１９又は請求項２０に記載の装置。
【請求項２２】
前記気体出口（１１）は口鼻当て又は顔面マスク（１３）を含んでいる、請求項１９から請求項２１のいずれか一項に記載の装置。
【請求項２３】
前記温度制御器（９）は、前記組織を加熱する時間を制御する時間制御器（１０）を含んでいる、請求項１９から請求項２２のいずれか一項に記載の装置。
【請求項２４】
ウイルス複製をインビボで阻害するために人間以外の哺乳類のウイルス感染した組織又は身体部分を加熱する、請求項７から請求項２３のいずれか一項に記載の装置の用法。
【請求項２５】
前記熱は、加湿された気体として加えられ、３７℃〜５０℃の温度で１００％までの相対湿度で供給される、請求項２４に記載の用法。
【請求項２６】
前記熱は、加熱されたパッド又は細長い加温された部材のような発熱体により人間以外の哺乳類のウイルスに感染した組織又は身体部分に加えられる、請求項２４に記載の用法。